【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
複数の色材を用いて記録媒体上に画像を形成する画像形成手段と、
前記画像形成手段から搬送された記録媒体上の色材の濃度を検出する検出手段と、
前記検出手段により検出された色材の濃度に基づいて前記画像形成手段が形成する画像の濃度を制御する制御手段と、を有し、
前記制御手段は、記録媒体上に形成される色材の濃度を検出するための濃度パターンを１つの色材を用いて、前記濃度パターンの濃度を検出するタイミングをとるためのトリガパターンを少なくとも２つの色材を用いて、同一の記録媒体上に前記画像形成手段によりそれぞれ形成させ、
前記検出手段は、前記トリガパターンを検出したことに応じて前記濃度パターンの濃度を検出することを特徴とする画像形成装置。
【請求項２】
前記画像形成手段は、前記検出手段が前記トリガパターンを検出した際の前記トリガパターンの明度が所定の明度以下になるように前記トリガパターンを形成することを特徴とする請求項１に記載の画像形成装置。
【請求項３】
前記画像形成装置は、複数色のトナーを用いて前記記録媒体上にトナー画像を形成する電子写真方式の画像形成装置であって、
前記画像形成手段は、感光体と、光源から発射されるレーザ光によって前記感光体を露光することによって前記感光体上に静電潜像を形成する露光手段と、前記静電潜像をトナーを用いて現像する現像手段と、前記感光体上のトナーを前記記録媒体上に転写する転写手段と、を有し、
前記制御手段は、前記画像の濃度を制御するために前記露光手段が前記感光体を露光する際のレーザパワーを制御する露光量制御手段を含み、
前記露光量制御手段は、前記トナーによって形成される前記濃度パターンの濃度に基づいて前記レーザパワーを制御することを特徴とする請求項１に記載の画像形成装置。
【請求項４】
前記露光量制御手段は、前記光源から発射されるレーザ光を少なくとも第１のレーザパワーと前記第１のレーザパワーよりも強い第２のレーザパワーとに制御可能な手段であり、
前記画像形成手段は、前記露光量制御手段が前記第１のレーザパワーで前記感光体に前記濃度パターンを形成する場合、前記トリガパターンを少なくとも２色のトナーで形成し、前記露光量制御手段が前記第２のレーザパワーで前記感光体に前記濃度パターンを形成する場合、前記トリガパターンを単色のトナーで形成することを特徴とする請求項３に記載の画像形成装置。
【請求項５】
前記画像形成装置は、複数色のトナーを用いて前記記録媒体上にトナー画像を形成する電子写真方式の画像形成装置であって、
前記画像形成手段は、感光体と、前記感光体を露光することによって前記感光体上に静電潜像を形成する露光手段と、前記静電潜像をトナーによって現像する現像手段と、前記感光体上のトナーを前記記録媒体上に転写する転写手段と、を有し、
前記制御手段は、記録媒体上に形成される画像の濃度を制御するために前記静電潜像をトナーにより現像するための現像バイアスを制御する現像バイアス制御手段を含み、
前記現像バイアス制御手段は、前記トナーによって形成される前記濃度パターンの濃度に基づいて前記現像バイアスを制御すること特徴とする請求項１に記載の画像形成装置。
【請求項６】
前記画像形成装置は、複数色のトナーを用いて前記記録媒体上にトナー画像を形成する電子写真方式の画像形成装置であって、
前記画像形成手段は、感光体と、前記感光体を帯電する帯電手段と、帯電された前記感光体を露光することによって前記感光体上に静電潜像を形成する露光手段と、前記静電潜像をトナーによって現像する現像手段と、前記感光体上のトナーを前記記録媒体上に転写する転写手段と、を有し、
前記制御手段は、記録媒体上に形成される前記画像の濃度を制御するために前記感光体の帯電電位を制御する帯電電位制御手段を含み、
前記帯電電位制御手段は、前記トナーによって形成される前記濃度パターンの濃度に基づいて前記帯電電位を制御すること特徴とする請求項１に記載の画像形成装置。
【請求項７】
前記画像形成手段は、少なくとも前記複数の色材のうちの最も明度の低い色材と前記最も明度の低い色材以外の色材のうちの少なくとも１つの色材とを重ね合わせて前記トリガパターンを形成することを特徴とする請求項１乃至請求項６のいずれか１項に記載の画像形成装置。
【請求項８】
前記画像形成手段は、前記複数の色材毎に前記濃度パターンを形成し、前記トリガパターンを前記濃度パターンとは異なる色材を用いて形成することを特徴とする請求項１乃至請求項７いずれか１項に記載の画像形成装置。
【請求項９】
前記制御手段は、前記画像を形成するための画像データをハーフトーニング処理することによって前記画像の濃度を制御し、前記トリガパターンを形成するための画像データに対してハーフトーニング処理を行わないことを特徴とする請求項１に記載の画像形成装置。
【請求項１０】
前記画像形成手段は、前記トリガパターンを前記濃度パターンよりも高い線数で形成することを特徴とする請求項１に記載の画像形成装置。
【請求項１１】
複数色のトナーを用いて記録媒体上にトナー画像を形成する画像形成手段と、
前記画像形成手段から搬送された前記記録媒体上のトナー画像の濃度を検出する検出手段と、
前記検出手段により検出されたトナー画像の濃度に基づいて前記画像形成手段が形成するトナー画像の濃度を制御する制御手段と、を有し、
前記制御手段は、記録媒体上に形成されるトナー画像の濃度を検出するための濃度パターンを１色のトナーを用いて、前記濃度パターンの濃度を検出するタイミングをとるためのトリガパターンを前記濃度パターンのトナーとは異なる色で且つ前記濃度パターンのトナーよりも明度の低いトナーを用いて、同一の記録媒体上に前記画像形成手段によりそれぞれ形成させ、
前記検出手段は、前記トリガパターンを検出したことに応じて前記濃度パターンの濃度を検出することを特徴とする画像形成装置。
【請求項１２】
前記画像形成手段は、前記検出手段が前記トリガパターンを検出した際の前記トリガパターンの明度が所定の明度以下になるように少なくとも２色のトナーを重ね合わせて前記トリガパターンを形成することを特徴とする請求項１１に記載の画像形成装置。
【請求項１３】
前記画像形成手段は、少なくとも前記複数色のトナーのうちの最も明度の低いトナーと前記最も明度の低いトナー以外のトナーのうちの少なくとも１つのトナーとを重ね合わせて前記トリガパターンを形成することを特徴とする請求項１２に記載の画像形成装置。
【請求項１４】
前記画像形成手段は、感光体と、光源から発射されるレーザ光によって前記感光体を露光することによって前記感光体上に静電潜像を形成する露光手段と、前記静電潜像をトナーを用いて現像する現像手段と、前記感光体上のトナーを前記記録媒体上に転写する転写手段と、を有し、
前記制御手段は、前記画像の濃度を制御するために前記露光手段が前記感光体を露光する際のレーザパワーを制御する露光量制御手段を含み、
前記露光量制御手段は、前記トナーによって形成される前記濃度パターンの濃度に基づいて前記レーザパワーを制御することを特徴とする請求項１１に記載の画像形成装置。
【請求項１５】
前記露光量制御手段は、前記光源から発射されるレーザ光を第１のレーザパワーと前記第１のレーザパワーよりも強い第２のレーザパワーとに制御可能な手段であり、
前記画像形成手段は、前記露光量制御手段が前記第１のレーザパワーで前記感光体に前記濃度パターンを形成する場合、前記トリガパターンを少なくとも２色のトナーで形成し、前記露光量制御手段が前記第２のレーザパワーで前記感光体に前記濃度パターンを形成する場合、前記トリガパターンを単色のトナーで形成することを特徴とする請求項１４に記載の画像形成装置。
【請求項１６】
前記画像形成手段は、感光体と、前記感光体を露光することによって前記感光体上に静電潜像を形成する露光手段と、前記静電潜像をトナーによって現像する現像手段と、前記感光体上のトナーを前記記録媒体上に転写する転写手段と、を有し、
前記制御手段は、記録媒体上に形成されるトナー画像の濃度を制御するために前記静電潜像をトナーにより現像するための現像バイアスを制御する現像バイアス制御手段を含み、
前記現像バイアス制御手段は、前記トナーによって形成される前記濃度パターンの濃度に基づいて前記現像バイアスを制御すること特徴とする請求項１１に記載の画像形成装置。
【請求項１７】
前記画像形成手段は、感光体と、前記感光体を帯電する帯電手段と、帯電された前記感光体を露光することによって前記感光体上に静電潜像を形成する露光手段と、前記静電潜像をトナーによって現像する現像手段と、前記感光体上のトナーを前記記録媒体上に転写する転写手段と、を有し、
前記制御手段は、記録媒体上に形成される前記トナー画像の濃度を制御するために前記感光体の帯電電位を制御する帯電電位制御手段を含み、
前記帯電電位制御手段は、前記トナーによって形成される前記濃度パターンの濃度に基づいて前記帯電電位を制御すること特徴とする請求項１１に記載の画像形成装置。
【請求項１８】
前記制御手段は、前記画像を形成するための画像データをハーフトーニング処理することによって前記トナー画像の濃度を制御し、前記トリガパターンを形成するための画像データに対してハーフトーニング処理を行わないことを特徴とする請求項１１に記載の画像形成装置。
【請求項１９】
前記画像形成手段は、前記トリガパターンを前記濃度パターンよりも高い線数で形成することを特徴とする請求項１１に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、電子写真方式或いはインクジェット方式等で画像形成を行うプリンタや複写機に適用される画像形成装置に関する。
【手続補正４】
【補正対象書類名】明細書
【補正対象項目名】００２１
【補正方法】変更
【補正の内容】
【００２１】
本発明の目的は、パッチ画像の精度の高い読み取りタイミングを発生させ、高精度な濃度調整を可能とし、色の安定性を向上可能とした画像形成装置を提供することにある。
【手続補正５】
【補正対象書類名】明細書
【補正対象項目名】００２２
【補正方法】変更
【補正の内容】
【００２２】
上述の目的を達成するために、本発明の画像形成装置は、複数の色材を用いて記録媒体上に画像を形成する画像形成手段と、前記画像形成手段から搬送された記録媒体上の色材の濃度を検出する検出手段と、前記検出手段により検出された色材の濃度に基づいて前記画像形成手段が形成する画像の濃度を制御する制御手段と、を有し、前記制御手段は、記録媒体上に形成される色材の濃度を検出するための濃度パターンを１つの色材を用い、前記濃度パターンの濃度を検出するタイミングをとるためのトリガパターンを少なくとも２つの色材を用いて、同一の記録媒体上に前記画像形成手段によりそれぞれ形成させ、前記検出手段は、前記トリガパターンを検出したことに応じて前記濃度パターンの濃度を検出することを特徴とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】変更
【補正の内容】
【００２８】
本発明によれば、高精度なトナー濃度調整が可能となる。この結果、画像形成装置における色の安定性を向上させることが可能となる。
【手続補正１２】
【補正対象書類名】明細書
【補正対象項目名】００２９
【補正方法】削除
【補正の内容】
【手続補正１３】
【補正対象書類名】明細書
【補正対象項目名】０１３４
【補正方法】変更
【補正の内容】
【０１３４】
１０３０  画像形成装置
１０３１  プリンタコントローラ
１０３３  ＣＰＵ（制御手段）
１０３６  エンジン部（画像形成手段）
１０４２  濃度補正実行部
１０４４  パッチ生成部
１０４５  濃度補正テーブル作成部
２０１０  中間転写体
２０２７  転写材（記録媒体）
２０４４Ｃ  濃度センサ
３０００  カラーセンサ（検出手段）